(57)【要約】      （修正有）【課題】使用者がさらに多角度から表示モジュールを見られるようにするとともに、信号送信インターフェースにより耐用年数を長くすることのできるメカニカルキーボードの構造を提供する。【解決手段】主な構造は、固定プレート１と、固定プレート１上に備えられる複数の穿孔部１１と、固定プレート１の一側に設けられる回路基板２と、穿孔部１１に備えられる複数のメカニカルキー３とからなり、各メカニカルキー３は、機械軸３１と、キーキャップ３２と、少なくとも１つの透光部３３を備え、機械軸３１は回路基板２に設けられ、キーキャップ３２は機械軸３１の一側に位置し、透光部３３はキーキャップ３２上に形成され、各機械軸３１及び各キーキャップ３２の間は表示ユニット４を備え、表示ユニット４は、表示モジュール４１と、窓型カバー４２と、スイッチ固定プレート４３を備えるとともに、信号送信インターフェース５を備えることで、信号は回路基板２に接続される。【選択図】図３
0003220351.tif 000002
【実用新案登録請求の範囲】
【請求項１】
固定プレートと、回路基板と、複数のメカニカルキーと、複数の表示ユニットと、複数の信号送信インターフェースと、からなるメカニカルキーボードの構造であって、
前記固定プレートは、複数の穿孔部を備え、
前記回路基板は、前記固定プレートの一側に設けられ、
前記複数のメカニカルキーは、前記複数の穿孔部にそれぞれ位置するとともに、前記回路基板に接続され、各前記メカニカルキーは、機械軸と、キーキャップと、少なくとも１つの透光部を備え、前記機械軸は、前記回路基板に接続され、前記キーキャップは、前記機械軸の一側に位置し、前記透光部は、前記キーキャップ上に形成され、
各前記表示ユニットは、前記機械軸及び前記キーキャップの間に位置するとともに、各前記表示ユニットは、表示モジュールと、窓型カバーと、スイッチ固定プレートを備え、前記窓型カバーは、前記キーキャップ内に設けられるため、前記キーキャップが動くと、前記窓型カバーにより前記表示ユニットが動かされ、前記キーキャップに伴って前記表示ユニットも動き、前記表示モジュールは、前記窓型カバーの中にのみ位置するとともに、前記透光部の一側に位置し、前記スイッチ固定プレートは、前記表示モジュールの一側に設けられることで、前記表示モジュールは、前記スイッチ固定プレートを経由して前記機械軸に接続され、
各前記複数の信号送信インターフェースの一端は、前記複数の表示ユニットに接続され、他端は、前記固定プレート及び前記回路基板を通り抜けるとともに、前記回路基板における前記固定プレートから離れた一側に接続されることで、前記表示ユニットは、前記信号送信インターフェースを経由して前記回路基板の信号に接続されることを特徴とする、メカニカルキーボードの構造。
【請求項２】
各前記信号送信インターフェースの一端は、前記表示モジュールに接続されるとともに、他端は、前記窓型カバー、前記スイッチ固定プレート、前記固定プレート、及び前記回路基板を通り抜けるとともに、前記回路基板における前記固定プレートから離れた一側に接続され、回路基板には、複数の接続部が備えられることで、前記複数の信号送信インターフェースに接続されることを特徴とする、請求項１に記載のメカニカルキーボードの構造。
【請求項３】
前記回路基板には、少なくとも１つの外部接続プロセッサ及び少なくとも１つの外部接続部品が設けられるとともに、前記外部接続部品は、ＵＳＢコネクタ、ＤＩＮコネクタ、またはＰＳ／２コネクタのうちのいずれかであることを特徴とする、請求項１に記載のメカニカルキーボードの構造。
【請求項４】
前記複数の窓型カバーは、少なくとも１つの表示固定部を備え、前記複数のキーキャップ内には、少なくとも１つの前記表示固定部に対応するキーキャップ固定部が備えられることで、前記複数の窓型カバーは前記キーキャップ内に固定され、前記複数の窓型カバーは、少なくとも１つの表示結合部を備え、前記複数のスイッチ固定プレートは、少なくとも１つの前記表示結合部に対応する接続結合部を備えることで、前記複数の窓型カバーと前記スイッチ固定プレートは互いに連結されることを特徴とする、請求項１に記載のメカニカルキーボードの構造。
【考案の詳細な説明】
【技術分野】
【０００１】
本考案はメカニカルキーボードの構造に関し、特に、使用者がさらに多角度から表示モジュールを見ることができるようにすると同時に、耐用年数を長くするメカニカルキーボードの構造に関する。
【背景技術】
【０００２】
台湾特許第Ｍ４０００８０「プッシュスイッチの構造」は、ＬＥＤスクリーンをキーキャップ及び回路基板の間に置く技術内容に関するが、この技術は、ＬＥＤスクリーンを回路基板に固定するため、ＬＥＤスクリーンは、キーキャップの動きに伴って移動することができない。そのため、キーキャップを押していない場合、ＬＥＤスクリーンを限られた角度からしか見ることができず、使用者の使いやすさに影響が及んでいるとともに、耐用年数も比較的短いため、使用上のコストも高い。さらに、このメカニカルキーは、さらに様々なモジュール化された構造で設計されてはじめて、その效果が達成されるとともに、従来のメカニカルキー（ＳＷＩＴＣＨ）に直接取り付けることができないため、設計、製造、及び取り付けのいずれにおいても、比較的複雑且つ面倒である。
【０００３】
さらに、製造業者の中にはさらに技術改良を重ね、ＬＥＤスクリーンをキーキャップに接続することにより、キーキャップの動きに伴いＬＥＤスクリーンが上下に移動できるようにしたが、この方式においてもさらにモジュール化された製造が必要とされるとともに、メカニカルキー（ＳＷＩＴＣＨ）に取り付けることができないため、プッシュ時の感触にも違いがある。
【先行技術文献】
【特許文献】
【０００４】
【特許文献１】台湾特許第Ｍ４０００８０号明細書
【考案の概要】
【考案が解決しようとする課題】
【０００５】
本考案は、表示モジュールをキーキャップ上に設けることにより、キーキャップの動きに伴い表示モジュールは上下に動くことで、使用者がさらに様々な角度から表示モジュールを見ることができるようにし、さらに一般のメカニカルキーの中に表示モジュールを直接取り付けることができることで、製造上さらに便利であるとともに、信号送信インターフェースが各部品を通り抜けて、回路基板の下方に取り付けられることで折損しにくく、耐用年数を長くすることのできるメカニカルキーボードの構造を提供することを目的とする。
【課題を解決するための手段】
【０００６】
上述の目的を達成するために、本考案の主な構造は、固定プレートと、固定プレート上に設けられる複数の穿孔と、固定プレートの一側に設けられる回路基板と、穿孔部に位置する複数のメカニカルキーと、メカニカルキーの中に設けられる複数の表示ユニットと、からなり、そのうち、各メカニカルキーは、機械軸と、キーキャップと、少なくとも１つの透光部を備え、機械軸は、穿孔部に位置するとともに回路基板に接続され、キーキャップは、表示ユニットを経由して機械軸に接続され、透光部は、キーキャップ上に形成され、表示ユニットは、表示モジュールと、窓型カバーと、スイッチ固定プレートを備え、窓型カバーは、キーキャップの中に設けられ、表示モジュールは、窓型カバー内にのみ位置するとともに、透光部の一側に位置し、スイッチ固定プレートは、表示モジュール上に設けられるとともに、機械軸に接続され、さらに、表示ユニットは、信号送信インターフェースを備え、信号送信インターフェースの一端は表示ユニットに接続され、他端は固定プレート及び回路基板を通り抜けるとともに、回路基板における固定プレートから離れた一側に接続される。
【考案の効果】
【０００７】
上述の構造により、使用者は、キーキャップを押すことで機械軸を動かすことができることで、信号を回路基板に伝達させ、表示モジュールは、窓型カバー及びスイッチ固定プレートが互いに組み合わされることによりキーキャップ内に固定され、キーキャップは、スイッチ固定プレートによって機械軸に接続されるため、表示モジュールは、キーキャップに伴って同時に上下に移動する。従って、キーキャップを押したかどうかにかかわらず、表示モジュールは透光部付近に位置するため、使用者は、キーキャップを押したかどうかにかかわらず、表示モジュールによって表示されるマークを確実に見ることができ、使用者が表示モジュールに表示されたマークをさらに見やすくすることができる。表示モジュールは、回路基板から提供された情報を各種マークで表示し、信号送信インターフェースは、固定プレート及び回路基板を避けて回路基板の下側に接続されるため、キーキャップが押されることで表示ユニットが動かされて移動すると、信号送信インターフェースは折り曲げられ、信号送信インターフェースが回路基板の下方にくることで、折り曲げられた際、折り曲げられた角度は、信号送信インターフェース上に均一に分散されることで、折損する現象が生じにくく、全体的な耐用年数を長くすることができるとともに、表示ユニットは、一般のメカニカルキー内に直接取り付けられ、表示ユニットに応じて異なるメカニカルキーを別にモジュール化して設計する必要がないため、取り付けまたは製造上においてもさらに便利である。
【図面の簡単な説明】
【０００８】
【図１】本考案の実施例１における斜視図である。
【図２】本考案の実施例１における部分構造図である。
【図３】本考案の実施例１における分解図である。
【図４】本考案の実施例１における表示を示した図である。
【図５】本考案の実施例１におけるキーを押した状態を示した図である。
【図６】本考案の実施例１における折れ曲がった状態を示した図である。
【図７】本考案の実施例１におけるキーを押した後の状態を示した図である。
【図８】本考案の実施例２における分解図である。
【図９】本考案の実施例２における固定した状態を示した図である。
【図１０】本考案の実施例２における連結した状態を示した図である。
【図１１】本考案の実施例３における斜視図である。
【図１２】本考案の実施例４における斜視図である。
【図１３】本考案の実施例５における斜視図である。
【考案を実施するための形態】
【０００９】
参照する図１から図３は、本考案の実施例１における斜視図から分解図であり、図から明らかな通り、本考案は、固定プレート１と、回路基板２と、複数のメカニカルキー３と、複数の表示ユニット４と、複数の信号送信インターフェース５と、からなる。
【００１０】
そのうち、固定プレート１は、複数の穿孔１１を備え、回路基板２は、固定プレート１の一側に設けられ、メカニカルキー３は、穿孔１１にそれぞれ位置するとともに、回路基板２に接続され、表示ユニット４は、メカニカルキー３の中に設けられ、信号送信インターフェース５は、表示ユニット４及び回路基板２に接続される。
【００１１】
各メカニカルキー３は、機械軸３１と、キーキャップ３２と、少なくとも１つの透光部３３を備え、機械軸３１は、一般にＳｗｉｔｃｈメカニカルキーであるとともに、穿孔１１部は、回路基板２に接続され、キーキャップ３２は、表示ユニット４を経由して機械軸３１に接続され、透光部３３は、キーキャップ３２上に形成され、キーキャップ３２の上方またはキーキャップ３２全体に形成されるものはすべて透光部３３であり、制限されない。
【００１２】
各表示ユニット４は、表示モジュール４１と、窓型カバー４２と、スイッチ固定プレート４３を備え、窓型カバー４２は、キーキャップ３２内に設けられ、表示モジュール４１は、窓型カバー４２内にのみ位置するとともに、透光部３３の一側に位置し、表示モジュール４１は、ＬＥＤまたはその他の種類の表示方式であることができ、制限されない。よって、使用者は、透光部３３から表示モジュール４１が表示する内容を見ることができ、スイッチ固定プレート４３は、表示モジュール４１の一側に設けられるとともに、表示モジュール４１は、窓型カバー４２及びスイッチ固定プレート４３の間に位置し、スイッチ固定プレート４３は、機械軸３１に接続されることで、キーキャップ３２は、表示ユニット４を経由して機械軸３１に接続される。
【００１３】
信号送信インターフェース５は、フレキシブルプリント基板（ＦＰＣ）またはフレキシブルフラットケーブル（ＦＦＣ）のうちのいずれかであるが、これらに制限されない。信号送信インターフェース５の一端は、表示モジュール４１に接続され、他端は、窓型カバー４２、スイッチ固定プレート４３、固定プレート１、及び回路基板２を通り抜けた後、さらに回路基板２における固定プレート１から離れた一側に接続されるとともに、回路基板２は、複数の接続部２１を備えることにより、信号送信インターフェース５に接続される。
【００１４】
本実施例において、回路基板２は、外部接続プロセッサ２２及び外部接続部品２３を備えることにより、回路基板２は、外部接続プロセッサ２２及び外部接続部品２３を経由してコンピュータ情報に接続されることで、信号は互いに伝達され、外部接続部品２３は、ＵＳＢコネクタ、ＤＩＮコネクタ、またはＰＳ／２コネクタのうちのいずれかであることができるが、これらに制限されない。本実施例では、ＵＳＢコネクタを例として使用している。
【００１５】
上述の説明により、本技術の構造を理解することができ、この構造に基づいて対応させ組み合わせることにより、表示モジュール４１をキーキャップ３２上に設けることができるとともに、キーキャップ３２の動きに伴い表示モジュール４１も動くことで、使用者は、さらに多角度から表示モジュール４１を見ることができるとともに、耐用年数を長くすることができる。詳細は以下に示す通りである。
【００１６】
同時に組み合わせて参照する図１から図７は、本考案の実施例１における斜視図からキーを押した後の状態を示した図である。上述の構成部品を組み立てる場合、図から明らかな通り、使用者は、まず外部接続部品２３をコンピュータ上に接続する必要があり、外部接続プロセッサ２２と組み合わせて、回路基板２とコンピュータの信号を接続させることで、互いに信号が伝達され、使用する際には、キーキャップ３２を押すことで機械軸３１上のキー軸を押動させることができることにより、信号を回路基板２及びコンピュータに伝達させるとともに、キーキャップ３２を押す過程において、固定プレート１によりキー軸を固定することができることで、揺れにくくなる。使用者がキーキャップ３２を押すと、表示ユニット４は、キーキャップ３２に伴って上下に動き、表示モジュール４１は、窓型カバー４２を経由してスイッチ固定プレート４３に組み合わされ、キーキャップ３２の中に固定されることにより、表示モジュール４１もキーキャップ３２に伴って上下に移動する、つまり、表示モジュール４１は、常に透光部３３の一側に位置するため、使用者はキーキャップ３２を押したかどうかにかかわらず、透光部３３から表示モジュール４１に表示される内容を簡単に見ることができ、表示モジュール４１は、信号送信インターフェース５の情報を経由して回路基板２に接続されることにより、表示される内容は、回路基板２及びコンピュータによって制御及び変更することができ、例えば、メモ帳、ブラウザ、ペイント、または電子メールのマークを表示させ、表示モジュール４１の機能を表示または変更できるようにすることで、使用者は、どの角度からでも簡単に表示モジュール４１に表示される内容を見ることができ、使用上さらに便利であるとともに、表示ユニット４は、一般のメカニカルキー３（ＳＷＩＴＣＨ）の中に直接設けられるため、表示ユニット４に合わせて別に異なるメカニカルキー３を設計する必要がないため、取り付け及び製造上さらに便利である。
【００１７】
使用者がキーキャップ３２を押すことで表示モジュール４１を動かして移動させる場合、フレキシブル回路基板２は押圧され、信号送信インターフェース５の両端は、表示モジュール４１及び回路基板２における固定プレート１から離れた一側の接続部２１にそれぞれ接続されるとともに、側面において見ることのできる信号送信インターフェース５は、Ｕ型の形態であるため、押圧される場合、押圧される力は、信号送信インターフェース５全体に確実に分散されることによって、折損が生じにくく、耐用年数を長くすることができることで、コスト節減の效果が達成される。
【００１８】
さらに同時に組み合わせて参照する図８から図１０は、本考案の実施例２における分解図から連結した状態を示した図であり、図から明らかな通り、本実施例と上述の実施例は、ほぼ同じであり、本実施例において、窓型カバー４２ａは、複数の表示固定部４２１ａ及び複数の表示結合部４２２を備え、キーキャップ３２ａ内は、表示固定部４２１ａに対応する複数のキーキャップ固定部３２１ａを備え、スイッチ固定プレート４３ａは、表示結合部４２２ａに対応する複数の接続結合部４３１ａを備えることで、表示固定部４２１ａ及びキーキャップ固定部３２１ａは、互いに固定されるため、さらに確実に窓型カバー４２ａがキーキャップ３２ａ内に固定されると同時に、表示結合部４２２ａ及び接続結合部４３１ａにより、窓型カバー４２ａ及びスイッチ固定プレート４３ａは、さらにしっかりと結合され、表示モジュール４１ａが窓型カバー４２ａの中にのみ位置する場合にもさらに安定させることができる。
【００１９】
さらに同時に組み合わせて参照する図１１は、本考案の実施例３における斜視図であり、図から明らかな通り、本実施例と上述の実施例は、ほぼ同じであり、本実施例において、透光部３３ｂはキーキャップ全体に形成されるため、透光部３３ｂの範囲及び形態は制限されないとともに、これにより、使用者は、より確実に表示モジュール４１ｂを見ることができることで、使用上の利便性が向上する。
【００２０】
さらに同時に組み合わせて参照する図１２は、本考案の実施例４における斜視図であり、図から明らかな通り、本実施例と上述の実施例は、ほぼ同じである。機械軸３１ｃの中には、回路基板２ｃに取り付けられる際、一部が回路基板２ｃを通るものがあり、機械軸３１ｃが信号送信インターフェース５ｃに接触する可能性があるため、妨害されるまたは折損しやすい等の問題が生じる。よって、本実施例は、回路基板２ｃにさらに多くの複数の保護部品２４ｃを備えることにより、機械軸３１ｃと信号送信インターフェース５ｃが互いに接触して様々な問題が生じるのを防ぐごとで、使用上の安全性を高めることができる。
【００２１】
さらに同時に組み合わせて参照する図１３は、本考案の実施例５における斜視図であり、図から明らかな通り、本実施例と上述の実施例はほぼ同じであり、本実施例では、右の数字キーすべてが表示ユニット４ｄを備えるメカニカルキー３ｄに設定されており、メカニカルキー３ｄに変更できるキーの数には制限がなく、使用者は、キーボードの一部またはキーボードすべてを表示ユニット４ｄを備えるメカニカルキー３ｄに設定することもできる。
【００２２】
よって、本考案のメカニカルキーボードの構造により改善することのできる主な従来技術は、以下の通りである。
【００２３】
一、表示ユニット４を機械軸３１及びキーキャップ３２の間に設けることによって、使用者は、多角度から表示モジュール４１を見ることができ、使用上便利である。
【００２４】
二、表示ユニット４を一般のメカニカルキー３の中に直接設けることができるとともに、異なるキーを別に設計して表示ユニット４に組み合わせる必要がないため、製造上さらに便利である。
【００２５】
三、信号送信インターフェース５を経由して接続する方法により、耐用年数を長くすることができ、コスト節減の效果が達成される。
【符号の説明】
【００２６】
１  固定プレート
１１  穿孔
２、２ｃ  回路基板
２１  接続部
２２  外部接続プロセッサ
２３  外部接続部品
２４ｃ  保護部品
３、３ｄ  メカニカルキー
３１、３１ｃ  機械軸
３２、３２ａ  キーキャップ
３２１ａ  キーキャップ固定部
３３、３３ｂ  透光部
４、４ｄ  表示ユニット
４１、４１ａ、４１ｂ  表示モジュール
４２、４２ａ  窓型カバー
４２１ａ  表示固定部
４２２ａ  表示結合部
４３、４３ａ  スイッチ固定プレート
４３１ａ  接続結合部
５、５ｃ  信号送信インターフェース
【図１】
0003220351.tif 000003
【図２】
0003220351.tif 000004
【図３】
0003220351.tif 000005
【図４】
0003220351.tif 000006
【図５】
0003220351.tif 000007
【図６】
0003220351.tif 000008
【図７】
0003220351.tif 000009
【図８】
0003220351.tif 000010
【図９】
0003220351.tif 000011
【図１０】
0003220351.tif 000012
【図１１】
0003220351.tif 000013
【図１２】
0003220351.tif 000014
【図１３】
0003220351.tif 000015